(57)【要約】【課題】ユーザの要望に対応してフラップの制御を行うことができ、スマッジングの防止或いはドラフト感を防止するフラップの制御を行うことができる空気調和装置を提供する。【解決手段】熱交換器及び送風機を有する室内機に空気の吹き出し方向を変更するフラップを設け、このフラップの位置を複数の段階Ｆ１〜Ｆ５に変更する制御を行う空気調和装置において、各段階Ｆ１〜Ｆ５とフラップ位置Ｎ１〜Ｎ６との対応関係を記憶するＥＥＰＲＯＭ２３と、要求された段階に対応するフラップ位置にフラップを設定するマイクロコンピュータ２２とを備え、リモコン２４の操作によりＥＥＰＲＯＭ２３に記憶されている段階とフラップ位置との対応関係を変更する。【選択図】　　　図３
2004092996.tif 000002
【特許請求の範囲】
【請求項１】
熱交換器及び送風機を有し、空気の吹き出し方向を変更するフラップを備え、このフラップのフラップ位置を複数の段階に変更する制御を行う空気調和装置において、
各段階に対応する前記フラップ位置を変更可能にしたことを特徴とする空気調和装置。
【請求項２】
請求項１に記載の空気調和装置において、
前記複数の段階には、第１の段階と、この第１の段階よりも下方に空気を吹き出すフラップ位置が対応している第２の段階とが含まれており、
前記第１の段階と前記第２の段階との間のフラップ位置の範囲内に、予備のフラップ位置を設け、
少なくとも前記第１の段階に対応するフラップ位置を、前記予備のフラップ位置に変更可能にしたことを特徴とする空気調和装置。
【請求項３】
請求項２に記載の空気調和装置において、
前記第１の段階には、室内の天井面に対して略水平方向に空気を吹き出すフラップ位置が対応していることを特徴とする空気調和装置。
【請求項４】
請求項１に記載の空気調和装置において、
前記複数の段階には、第１の段階と、この第１の段階よりも下方に空気を吹き出すフラップ位置が対応している第２の段階とが含まれており、
前記第１の段階と前記第２の段階との間のフラップ位置の範囲内に、予備のフラップ位置を設け、
少なくとも前記第２の段階に対応するフラップ位置を、前記予備のフラップ位置に変更可能にしたことを特徴とする空気調和装置。
【請求項５】
請求項２又は３に記載の空気調和装置において、
前記各段階と前記フラップ位置とを対応させた複数の吹き出しモードを有し、
当該複数の吹き出しモードには、少なくとも前記第１の段階に前記予備のフラップ位置を対応させた吹き出しモードが含まれており、
前記複数の吹き出しモードのうちいずれかの吹き出しモードを選択可能とするスイッチを備えたことを特徴とする空気調和装置。
【請求項６】
請求項４に記載の空気調和装置において、
前記各段階と前記フラップ位置とを対応させた複数の吹き出しモードを有し、
当該複数の吹き出しモードには、少なくとも前記第２の段階に前記予備のフラップ位置を対応させた吹き出しモードが含まれており、
前記複数の吹き出しモードのうちいずれかの吹き出しモードを選択可能とするスイッチを備えたことを特徴とする空気調和装置。
【請求項７】
請求項５又は６に記載の空気調和装置において、
前記各段階と前記フラップ位置とを対応させた複数の吹き出しモードを記憶するテーブルと、
このテーブルを参照して、選択された吹き出しモードにおける選択された段階に対応するフラップ位置に前記フラップを制御するフラップ制御手段とを備えたことを特徴とする空気調和装置。
【請求項８】
熱交換器及び送風機を有し、空気の吹き出し方向を変更するフラップを備え、このフラップのスイング動作を制御する空気調和装置において、
前記フラップの動作範囲を変更可能にしたことを特徴とする空気調和装置。
【請求項９】
請求項８に記載の空気調和装置において、
複数のフラップ動作範囲を有し、当該複数のフラップ動作範囲のうち、いずれかのフラップ動作範囲を選択可能にしたことを特徴とする空気調和装置。
【請求項１０】
請求項９に記載の空気調和装置において、
前記フラップは、フラップ位置を複数の段階に変更可能であり、
前記複数のフラップ動作範囲は、前記複数の段階のうち、２つの段階間でスイング動作するようにしたことを特徴とする空気調和装置。
【請求項１１】
請求項１０に記載の空気調和装置において、
前記複数の段階には、第１の段階と、この第１の段階よりも下方に空気を吹き出すフラップ位置が対応している第２の段階とが含まれており、
前記第１の段階と前記第２の段階との間のフラップ位置の範囲内に、予備のフラップ位置を設け、
少なくとも前記第１の段階に対応するフラップ位置を、前記予備のフラップ位置に変更可能にしたことを特徴とする空気調和装置。
【請求項１２】
請求項１０に記載の空気調和装置において、
前記複数の段階には、第１の段階と、この第１の段階よりも下方に空気を吹き出すフラップ位置が対応している第２の段階とが含まれており、
前記第１の段階と前記第２の段階との間のフラップ位置の範囲内に、予備のフラップ位置を設け、
少なくとも前記第２の段階に対応するフラップ位置を、前記予備のフラップ位置に変更可能にしたことを特徴とする空気調和装置。
【請求項１３】
請求項１乃至１２のいずれか一項に記載の空気調和装置において、
前記フラップは、ステッピングモータにより駆動されることを特徴とする空気調和装置。
【発明の詳細な説明】
【０００１】
【発明の属する技術分野】
本発明は、室内機のフラップを制御する空気調和装置に関する。
【０００２】
【従来の技術】
一般に、熱交換器及び送風機を有する室内機に空気の吹き出し方向を変更するフラップを設け、このフラップの位置を複数段階に変更する制御装置を備えた空気調和装置として、例えば、天井埋込型空気調和装置が知られている。
【０００３】
このフラップは、マイクロコンピュータ等によりモータを駆動し自動で位置決めを行うものがある。これによって、吹き出し位置を一定に固定できるのは勿論、スイング動作できるようになっている。
【０００４】
このフラップは、複数段階、例えば、Ｆ１からＦ５の５段階のうちいずれかの段階で固定するか、或いはＦ１からＦ５の間でスイング動作することで、風向を制御している。例えば、Ｆ１は、天井面に対して水平吹出し方向に、Ｆ５は、天井面に対して垂直吹出し方向に設定され、Ｆ２、Ｆ３、Ｆ４は、Ｆ１とＦ５との間でフラップの位置が順次設定されている。
【０００５】
室内機内にはマイクロコンピュータとフラップモータとしてのＡＣモータが設けてある。フラップの制御はマイクロコンピュータ内のフラップモータ駆動時間のデータを基に行われている。マイクロコンピュータが持つフラップモータ駆動時間のデータは、例えばＦ１から３秒後がＦ２の段階、Ｆ１から６秒後がＦ３の段階といったように、Ｆ１の段階を基準に既定値として予め決まっている。
【０００６】
この空気調和装置の運転中、Ｆ１からＦ５までの任意の段階（例えば、Ｆ３）でフラップを固定させる場合では、フラップがＦ１の段階まで移動を開始し、Ｆ１の位置を検出した後、予めマイクロコンピュータが記憶しているＦ３の段階までのフラップモータ駆動時間を基にフラップを移動させる。
【０００７】
【発明が解決しようとする課題】
ところで、上述の空気調和装置では、各段階におけるフラップの位置は、既定値として予め決まっているため、冷房運転時に、例えば、Ｆ１の段階を選択した場合、吹出口から吹き出された冷風が、例えば、天井面に沿って流れることにより、天井面が冷却されて結露し、そこに室内の粉塵が付着して天井面が汚れるスマッジングが発生することがある。また、例えば、Ｆ３の段階を選択した場合、吹出口から吹き出された冷風が、直接、体に当たる不快感（ドラフト感）を生じることがある。また、フラップをスイング動作させる場合、フラップをスマッジングが発生する角度やドラフト感が生じる角度までスイングさせることがある。つまり、いかなる設置場所でも予め定められたフラップの制御を行っているため、ユーザの要望（スマッジング防止の要望或いはドラフト感防止の要望）に対応したフラップの制御を行うことができない場合が生じるという問題がある。
【０００８】
本発明の目的は、上述の事情を考慮してなされたものであり、ユーザの要望に対応したフラップの制御を行うことができ、スマッジングの防止或いはドラフト感を防止するフラップの制御を行うことができる空気調和装置を提供することを目的としたものである。
【０００９】
【課題を解決するための手段】
上記課題を解決するため、熱交換器及び送風機を有し、空気の吹き出し方向を変更するフラップを備え、このフラップのフラップ位置を複数の段階に変更する制御を行う空気調和装置において、各段階に対応する前記フラップ位置を変更可能にしたことを特徴としている。
【００１０】
この場合において、前記複数の段階には、第１の段階と、この第１の段階よりも下方に空気を吹き出すフラップ位置が対応している第２の段階とが含まれており、前記第１の段階と前記第２の段階との間のフラップ位置の範囲内に、予備のフラップ位置を設け、少なくとも前記第１の段階に対応するフラップ位置を、前記予備のフラップ位置に変更可能にしてもよい。
【００１１】
また、前記第１の段階には、室内の天井面に対して略水平方向に空気を吹き出すフラップ位置が対応するようにしてもよい。。
【００１２】
さらに、前記複数の段階には、第１の段階と、この第１の段階よりも下方に空気を吹き出すフラップ位置が対応している第２の段階とが含まれており、前記第１の段階と前記第２の段階との間のフラップ位置の範囲内に、予備のフラップ位置を設け、少なくとも前記第２の段階に対応するフラップ位置を、前記予備のフラップ位置に変更可能にしてもよい。
【００１３】
さらにまた、前記各段階と前記フラップ位置とを対応させた複数の吹き出しモードを有し、当該複数の吹き出しモードには、少なくとも前記第１の段階に前記予備のフラップ位置を対応させた吹き出しモードが含まれており、前記複数の吹き出しモードのうちいずれかの吹き出しモードを選択可能とするスイッチを備えてもよい。
【００１４】
また、前記各段階と前記フラップ位置とを対応させた複数の吹き出しモードを有し、当該複数の吹き出しモードには、少なくとも前記第２の段階に前記予備のフラップ位置を対応させた吹き出しモードが含まれており、前記複数の吹き出しモードのうちいずれかの吹き出しモードを選択可能とするスイッチを備えるようにしてもよい。
【００１５】
さらに、前記各段階と前記フラップ位置とを対応させた複数の吹き出しモードを記憶するテーブルと、このテーブルを参照して、選択された吹き出しモードにおける選択された段階に対応するフラップ位置に前記フラップを制御するフラップ制御手段とを備えるようにしてもよい。
【００１６】
また、熱交換器及び送風機を有し、空気の吹き出し方向を変更するフラップを備え、このフラップのスイング動作を制御する空気調和装置において、前記フラップの動作範囲を変更可能にしたことを特徴としている。
【００１７】
この場合において、複数のフラップ動作範囲を有し、当該複数のフラップ動作範囲のうち、いずれかのフラップ動作範囲を選択可能にしてもよい。
【００１８】
また、前記フラップは、フラップ位置を複数の段階に変更可能であり、前記複数のフラップ動作範囲は、前記複数の段階のうち、２つの段階間でスイング動作するようにしてもよい。
【００１９】
さらに、前記複数の段階には、第１の段階と、この第１の段階よりも下方に空気を吹き出すフラップ位置が対応している第２の段階とが含まれており、前記第１の段階と前記第２の段階との間のフラップ位置の範囲内に、予備のフラップ位置を設け、少なくとも前記第１の段階に対応するフラップ位置を、前記予備のフラップ位置に変更可能にしてもよい。
【００２０】
さらにまた、前記複数の段階には、第１の段階と、この第１の段階よりも下方に空気を吹き出すフラップ位置が対応している第２の段階とが含まれており、前記第１の段階と前記第２の段階との間のフラップ位置の範囲内に、予備のフラップ位置を設け、少なくとも前記第２の段階に対応するフラップ位置を、前記予備のフラップ位置に変更可能にしてもよい。
【００２１】
また、前記フラップは、ステッピングモータにより駆動されるようにしてもよい。
【００２２】
【発明の実施の形態】
以下、本発明の実施の形態を、図面に基づいて説明する。
【００２３】
〔Ａ〕第１の実施の形態（図１〜図５）
図１は本発明に係る空気調和装置の第１の実施の形態である４方向天井カセット形の空気調和装置の室内機を示す平面図であり、図２は、４方向天井カセット形の空気調和装置の室内機の断面図である。
【００２４】
図１において、１は４方向天井カセット形の空気調和装置の室内機を示し、吊りボルト１５（図２）で天井からつり下げられている。２は、化粧パネルを示し、この化粧パネル２には吸込口３と、その周囲を囲むように４つの吹出口４Ａ、４Ｂ、４Ｃ、４Ｄとが設けられている。それぞれの吹出口４Ａ、４Ｂ、４Ｃ、４Ｄにはフラップ５Ａ、５Ｂ、５Ｃ、５Ｄが設けられており、フラップ５Ａ、５Ｂの２枚のフラップを駆動するフラップモータ６Ａが設けられ、フラップ５Ｃ、５Ｄの２枚のフラップを駆動するフラップモータ６Ｂが設けられている。これらフラップモータ６Ａ、６Ｂは制御装置７に接続されており、この制御装置７によって各フラップモータ６Ａ、６Ｂが個別に駆動制御される。つまり、フラップ５Ａ、５Ｂが同期して動作し、フラップ５Ｃ、５Ｄが同期して動作する。フラップモータ６Ａ、６Ｂは、ステッピングモータである。尚、吹出口４Ａ〜４Ｄを総じて吹出口４、フラップ５Ａ〜５Ｄを総じてフラップ５というものとする。
【００２５】
図２において、室内機１の天板１Ｂには、ファンモータ８が固定され、このファンモータ８のシャフトには羽根車９が取り付けられている。これらファンモータ８及び羽根車９が送風機１０を構成している。この送風機１０を取り囲むように、多角形に曲げられた熱交換器１１が、発泡スチロール製の断熱材１２の内側に配置されている。
【００２６】
この熱交換器１１の下面１１Ａを覆うように、発泡スチロール製のドレンパン１３が配置され、このドレンパン１３には、送風機１０のベルマウス１４や図示しない電装ボックス等の各種部品がねじ止めされている。尚、空気調和装置は、図示は省略するが、室外機に備えた圧縮機、室外熱交換器等と、室内機１の熱交換器１１等とで構成される冷凍サイクルを備えており、冷房運転時（或いはドライ運転時）は、室内機１の熱交換器１１が蒸発器として機能し、暖房運転時は、室内機１の熱交換器１１が凝縮器として機能する。
【００２７】
図３は、フラップモータ６Ａ、６Ｂを駆動する制御装置７のブロック図である。各フラップモータ６Ａ、６Ｂは駆動回路２１Ａ、２１Ｂを介してマイクロコンピュータ２２（以下、「マイコン」という。）に接続されている。マイコン２２には、書き換え可能な不揮発性メモリ２３（例えば、ＥＥＰＲＯＭ）及びリモートコントローラ２４（以下、「リモコン」という。）が接続されている。駆動回路２１Ａ、２１Ｂ、マイコン２２及びＥＥＰＲＯＭ２３は、基板に実装され、図示しない電装ボックスに収納されている。
【００２８】
マイコン２２は、図示しない記録媒体（例えばＲＯＭやＥＥＰＲＯＭ等）に予め記憶されている制御プログラムに基づいて、空気調和装置全体の制御を行うものである。特に、マイコン２２は、制御プログラムに基づいて、フラップ５（図１）、つまりフラップモータ６Ａ、６Ｂを制御するものである。例えば、フラップ５を保持（固定）する制御やフラップ５のスイング制御を行う。具体的に、マイコン２２は、リモコン２４の指令に応じて、ＥＥＰＲＯＭ２３を参照しフラップモータ６Ａ、６Ｂを制御する。
【００２９】
このマイコン２２は、フラップ５を保持（固定）する制御を行う場合、フラップ５の位置を複数の段階、例えば５段階（Ｆ１〜Ｆ５）に、リモコン２４の指令に応じて変更する制御を行う。
【００３０】
リモコン２４には、例えば、図４に示すように、運転モードスイッチ４０、吹出口選択スイッチ４１、風向設定スイッチ４２、スイング切換スイッチ４３、運転／停止スイッチ４５、設定スイッチ４６、４７、操作スイッチ４８及びデータ入力用スイッチ４９等が設けられ、更に表示部５０が設けられている。この表示部５０には、例えば、運転モード（冷房、ドライ又は暖房）、吹出口（Ａ、Ｂ又はＣ、Ｄ）、風向（Ｆ１、Ｆ２、Ｆ３、Ｆ４又はＦ５）、スイング、などの各文字及び記号やデータ等が表示される。
【００３１】
運転モード切換スイッチ４０は、例えば、冷房運転モード、ドライ運転モード又は暖房運転モードに切り換えるスイッチである。
【００３２】
吹出口選択スイッチ４１は、図１に示す吹出口４Ａ及び４Ｂ、或いは、吹出口４Ｃ及び４Ｄのいずれかを選択するスイッチであり、吹出口選択スイッチ４１が押されるたびに、表示部５０における吹出口のＡ及びＢ、或いは、Ｃ及びＤの表示に順次変わり、風向設定の対象となる吹出口４Ａ及び４Ｂ、或いは、吹出口４Ｃ及び４Ｄのいずれかが選択される。尚、表示部５０に表示される吹出口Ａ、Ｂ、Ｃ、Ｄは、それぞれ吹出口４Ａ、４Ｂ、４Ｃ、４Ｄ（図１）に対応している。
【００３３】
風向設定スイッチ４２は、フラップ５Ａ、５Ｂ、５Ｃ、５Ｄ（図１）の位置を複数の段階、例えば５段階Ｆ１〜Ｆ５のうち、いずれかの段階に固定するときの設定スイッチであり、風向設定スイッチ４２が押されるたびに、表示部５０における風向表示Ｆ１、Ｆ２、Ｆ３、Ｆ４、Ｆ５が順次変わり、対応する段階Ｆ１〜Ｆ５が選択され、選択された段階に対応してフラップ５（図１）の位置が設定される。
【００３４】
スイング切換スイッチ４３は、フラップ５をスイング動作に切り換えるスイッチである。また、スイング切換スイッチ４３は、フラップ５の複数のスイング動作範囲のうち、いずれかのスイング動作範囲を選択するスイッチである。例えば、スイング切換スイッチ４３が押されたときに、スイング動作に切り換り、更に、スイング切換スイッチ４３が押される度に、スイング動作範囲が切り換るように設定されている。
【００３５】
運転／停止スイッチ４５は、運転／停止を切り換えるスイッチである。
【００３６】
設定スイッチ４６、４７、操作スイッチ４８及びデータ入力用スイッチ４９は、ＥＥＰＲＯＭ２３（図３）の内容を書き換える場合に用いるスイッチである。例えば、設定スイッチ４６、４７を同時に押圧操作することによって、ＥＥＰＲＯＭ２３の内容を書き換えるモードとなり、操作スイッチ４８及びデータ入力用スイッチ４９にて、ＥＥＰＲＯＭ２３の内容を書き換えるものである。
【００３７】
図５は、フラップ５のフラップ位置を示す図である。Ｎ０〜Ｎ７は、フラップ位置を示している。
【００３８】
Ｎ１〜Ｎ６は、フラップ５の各段階Ｆ１〜Ｆ５に割り当てられるフラップ位置を示す。Ｎ０及びＮ７は、フラップ５が振れる限界のフラップ位置である。このフラップ５の限界のフラップ位置とは、例えば、フラップ５が化粧パネル２（図２）等に当たったり、フラップ５が吹出口４を塞いでしまうような位置を超えてフラップ５が移動することのない可動域の限界の位置である。
【００３９】
尚、Ｎ０又はＮ７は、基準となるフラップ５のイニシャル位置を示す。つまり、運転停止時にフラップ５が移動するフラップ位置を示す。このＮ０、Ｎ７はフラップ５の各段階Ｆ１〜Ｆ５に割り当てられることはない。これによって、各段階Ｆ１〜Ｆ５において、吹出口４を閉塞してしまったり、フラップ５が化粧パネル２等に当たることを防ぐことができる。
【００４０】
第１の実施の形態で、Ｎ０は、基準となるフラップ５のイニシャル位置であり、運転停止時は、フラップ５がこのイニシャル位置Ｎ０に設定されて、吹出口４（吹出口４Ａ〜４Ｄ）が閉塞される。
【００４１】
Ｎ１は、天井面に対して略水平に空気を吹き出す場合のフラップ位置である。そして、Ｎ２、Ｎ３・・・と、フラップ位置が変わるに従って、吹き出し方向が下向きに変わる。Ｎ６は、天井面に対して略垂直に空気を吹き出す場合のフラップ位置である。
【００４２】
フラップ５は、リモコン２４により選択可能である５段階Ｆ１〜Ｆ５に変更可能であり、各段階Ｆ１〜Ｆ５には、フラップ位置Ｎ０及びＮ７を除いたフラップ位置Ｎ１〜Ｎ６のいずれかが対応している。
【００４３】
例えば、段階Ｆ１、Ｆ２、Ｆ３、Ｆ４、Ｆ５には、フラップ位置Ｎ１、Ｎ３、Ｎ４、Ｎ５、Ｎ６が割り当てられている。つまり、ＥＥＰＲＯＭ２３（図３）には、段階Ｆ１、Ｆ２、Ｆ３、Ｆ４、Ｆ５と、フラップ位置Ｎ１、Ｎ３、Ｎ４、Ｎ５、Ｎ６との対応関係を示すテーブル２５（以下、「対応関係テーブル」という。）が記憶されている。尚、第１の実施の形態では、フラップモータ６Ａ、６Ｂとして、ステッピングモータを使用しているので、このＥＥＰＲＯＭ２３に記憶されるフラップ位置Ｎ０〜Ｎ７は、ステッピングモータのステップ数を表している。
【００４４】
このとき、フラップ位置Ｎ２は、フラップ位置Ｎ１が対応している段階Ｆ１と、段階Ｆ１よりも下方に空気を吹き出すフラップ位置Ｎ３が対応している段階Ｆ２との間のフラップ位置の範囲（Ｎ１からＮ３）内に設けられている予備のフラップ位置である。
【００４５】
図３中マイコン２２は、この対応関係テーブル２５を参照して、リモコン２４の風向設定スイッチ４２（図４）にて選択された段階Ｆ１〜Ｆ５に対応するフラップ位置Ｎ１〜Ｎ６にフラップ５（フラップモータ６Ａ、６Ｂ）を制御する。
【００４６】
以上の構成で、例えば、フラップ位置Ｎ１が対応している段階Ｆ１にフラップ５が制御された場合、室内の天井面に対して略水平方向に空気を吹き出すため、特に、冷房運転時やドライ運転時に室内の天井面にスマッジングが生じることがある。
【００４７】
また、例えば、フラップ位置Ｎ４が対応している段階Ｆ３にフラップ５が制御された場合、冷房運転時やドライ運転時に冷風が直接人体に当たる不快感を示すドラフト感を与えることがある。
【００４８】
第１の実施の形態では、リモコン２４設けたスイッチ４６〜４９（図４）にて段階（Ｆ１〜Ｆ５）とフラップ位置（Ｎ１〜Ｎ６）との対応関係を変更することができる。
【００４９】
具体的に、スイッチ４６〜４９は、段階（Ｆ１〜Ｆ５）とフラップ位置（Ｎ１〜Ｎ６）との対応関係を変更するスイッチであり、これらスイッチ４６〜４９の操作により、ＥＥＰＲＯＭ２３の対応関係テーブル２５（図３）が書き換えられる。この、対応関係テーブル２５を書き換えるときは、表示部５０（図４）のテーブルデータ表示窓に表示される対応関係テーブル２５の内容を参照しながらスイッチ４６〜４９の操作により書き換えることができる。
【００５０】
つまり、スマッジングが発生するような場合、段階Ｆ１に対応するフラップ位置Ｎ１を予備のフラップ位置Ｎ２に変更すれば（つまり、対応関係テーブル２５における段階Ｆ１に対応するフラップ位置Ｎ１を予備のフラップ位置Ｎ２に書き換えれば）、天井面のスマッジングの発生を回避することができる。
【００５１】
また、ドラフト感を与えるような場合、段階Ｆ２に対応するフラップ位置Ｎ３を予備のフラップ位置Ｎ２に変更し、更に、段階Ｆ３に対応するフラップ位置Ｎ４をフラップ位置Ｎ３に変更すれば（つまり、対応関係テーブル２５における段階Ｆ２に対応するフラップ位置Ｎ３を予備のフラップ位置Ｎ２に書き換え、更に、段階Ｆ３に対応するフラップ位置Ｎ４をフラップ位置Ｎ３に書き換えれば）、ドラフト感を回避することができる。
【００５２】
次に、フラップ５（図１）をスイング動作させる場合、通常、フラップ５を予め定められた１つの動作範囲のみでフラップ５をスイングさせるものであるが、特に、冷房運転時やドライ運転時にドラフト感や天井面にスマッジングが発生する場合がある。
【００５３】
第１の実施の形態では、複数のフラップ動作範囲２６（図３）をＥＥＰＲＯＭ２３に記憶し、当該複数のフラップ動作範囲のうち、いずれかのフラップ動作範囲をリモコン２４にて選択可能にして、フラップ動作範囲を変更するようにしたものである。
【００５４】
例えば、ＥＥＰＲＯＭ２３には、段階Ｆ１〜Ｆ５のうち、２つの段階間でスイング動作する複数（例えば、２つ）のフラップ動作範囲２６が記憶されている。例えば、ＥＥＰＲＯＭ２３には、段階Ｆ１〜Ｆ３間でフラップ５がスイング動作するフラップ動作範囲２６Ａと、段階Ｆ１〜Ｆ５間でフラップ５がスイング動作するフラップ動作範囲２６Ｂとが記憶されている。そして、リモコン２４に設けたスイング切換スイッチ４３にて、フラップ動作範囲２６Ａ又は２６Ｂを選択し、マイコン２２は、選択されたフラップ動作範囲２６Ａ又は２６Ｂを参照して、フラップ５をスイング制御する。尚、これら段階Ｆ１〜Ｆ５には、上述した対応関係テーブル２５により、フラップ位置Ｎ１〜Ｎ６のいずれかが対応しているものである。
【００５５】
これによって、例えば、段階Ｆ１〜Ｆ５間でフラップ５がスイング動作するフラップ動作範囲２６Ｂが選択されている場合に、ドラフト感を与える場合には段階Ｆ１〜Ｆ３間でフラップ５がスイング動作するフラップ動作範囲２６Ａを選択することで、ドラフト感を抑制することができる。
【００５６】
更に、フラップ位置Ｎ１が対応している段階Ｆ１までフラップ５をスイングする場合に、天井面にスマッジングが発生するのであれば、対応関係テーブル２５において、段階Ｆ１に対応するフラップ位置を予備のフラップ位置Ｎ２に変更することでスマッジングの発生を回避することができる。
【００５７】
また、フラップ位置Ｎ４が対応している段階Ｆ３までフラップ５をスイングするフラップ動作範囲２６Ａが選択されてもドラフト感が生じる場合は、対応関係テーブル２５において、段階Ｆ２に対応するフラップ位置を予備のフラップ位置Ｎ２に変更し、更に、段階Ｆ３に対応するフラップ位置をＮ３に変更することで、ドラフト感を抑制することができる。
【００５８】
尚、例えば、フラップ位置Ｎ３が対応している段階Ｆ２と、フラップ位置Ｎ４が対応している段階Ｆ３との間に、予備のフラップ位置Ｎ３’を設けてもよく、段階Ｆ２にフラップ位置Ｎ３’を対応させるようにすることも可能であるし、段階Ｆ３にフラップ位置Ｎ３’を対応させることも可能である。つまり、予備のフラップ位置が設けてあれば、ユーザの要望に応じたフラップの制御が可能となる。
【００５９】
以上、第１の実施の形態によれば、ＥＥＰＲＯＭ２３に記憶されている対応関係テーブル２５における各段階Ｆ１〜Ｆ５に対応するフラップ位置Ｎ１〜Ｎ６を書き換えることによって、スマッジングの防止或いはドラフト感を防止するフラップ５の制御を行うことができる。
【００６０】
また、第１の実施の形態によれば、対応関係テーブル２５をリモコン２４のスイッチ４６〜４９にて書き換えることができるので、書き換えを容易に行うことができる。
【００６１】
尚、第１の実施の形態では、予備のフラップ位置を１つのみ設けた場合について説明したが、これに限るものではなく、予備のフラップ位置を複数設けてもよい。
【００６２】
また、第１の実施の形態では、フラップをスイング動作させる場合において、２つのフラップ動作範囲を選択可能に構成されているが、この２つのフラップ動作範囲に限るものではなく、例えば、段階Ｆ２〜Ｆ４の間でスイングする場合であってもよく、フラップ動作範囲及びフラップ動作範囲の数は任意に設定することができる。これによって、よりきめ細やかなフラップのスイング動作が可能になる。
【００６３】
〔Ｂ〕第２の実施の形態（図６〜図８）
図６は、本発明に係る空気調和装置の第２の実施の形態における制御装置を示すブロック図である。この第２の実施の形態において、第１の実施の形態と同様な部分は、同一符号を付して省略する。
【００６４】
図６において、段階Ｆ１〜Ｆ５と、フラップ位置Ｎ１〜Ｎ６との対応関係を複数（例えば２つ）の吹き出しモードのそれぞれに対応させた対応関係テーブル２７（図７）をＥＥＰＲＯＭ２３に記憶している。そして、マイコン２２は、この対応関係テーブル２７を参照して、リモコン６０選択された吹き出しモードにおける選択された各段階Ｆ１〜Ｆ５に対応するフラップ位置にフラップ５を制御する。
【００６５】
図７におけるスマッジングレスモード及びドラフト防止モードは、リモコン６０（図６、図８）にて切り換える吹き出しモードである。
【００６６】
また、各吹き出しモードは、冷房運転時と暖房運転時とで異なるように設定されている。例えば、冷房運転時は、下向きの空気の吹き出しがドラフト感を発生させることが多いため、スマッジングレスモード及びドラフト防止モードのいずれの場合であっても、下向きの冷風の吹き出しが規制される。具体的には、下向きの空気の吹き出しを示す段階Ｆ４、Ｆ５の選択を禁止している。つまり、ＥＥＰＲＯＭ２３の対応関係テーブル２７において、冷房運転のスマッジングレスモード及びドラフト防止モードのＦ４、Ｆ５には、位置データが対応しておらず、リモコン６０の風向設定スイッチ４２では、Ｆ４、Ｆ５の選択がスキップされ、Ｆ１〜Ｆ３のみ選択可能となっている。
【００６７】
尚、暖房運転時は、ドラフト感を感じることが少ないため、スマッジングレスモード及びドラフト防止モードのいずれの場合であっても、下向きへの空気の吹き出しを許容している。具体的には、段階Ｆ４、Ｆ５の選択を許容している。つまり、Ｆ４、Ｆ５には、位置データが対応しており、リモコン６０の風向設定スイッチ４２では、Ｆ１〜Ｆ５が選択可能となっている。
【００６８】
図８において、リモコン６０には、吹き出しモード切換スイッチ４４が設けられており、吹き出しモード切換スイッチ４４は、複数の吹き出しモードとしてのスマッジングレスモードと、ドラフト防止モードとを切り換えるスイッチである。吹き出しモード切換スイッチ４４にてスマッジングレスモードが選択された場合は、表示部５０に「スマッジングレス」の文字が表示され、ドラフト防止モードが選択された場合は、表示部５０に「ドラフト防止」の文字が表示される。
【００６９】
スマッジングレスモードは、壁面に沿った空気の吹出しを禁止したモードである。つまり、いずれの段階に設定しても、吹出口から吹き出された空気が室内の天井面に沿って流れることはない。例えば、冷房運転においては、段階Ｆ１に吹出口から吹き出された空気が室内の天井面に沿って流れるフラップ位置Ｎ１よりもやや下向きの風向となるフラップ位置Ｎ２が対応しており、各段階Ｆ２、Ｆ３にそれぞれフラップ位置Ｎ３、Ｎ４が対応している。暖房運転においては、Ｆ１、Ｆ２、Ｆ３、Ｆ４、Ｆ５にＮ２、Ｎ３、Ｎ４、Ｎ５、Ｎ６が対応している。これによって、冷房運転時にスマッジングレスモードのときは、スマッジングの発生が防止される。
【００７０】
ドラフト防止モードは、特に冷房運転時にスマッジングレスモードよりもやや上向きに空気を吹き出すようにするモードである。例えば、冷房運転において各段階Ｆ１、Ｆ２、Ｆ３には、スマッジングレスモードのときよりも上向きの風向となるＮ１、Ｎ２、Ｎ３がそれぞれ対応している。これによって、例えばスマッジングレスモードにおいてドラフト感が生じる場合、ドラフト防止モードとすることによってドラフト感を与えることを防止することができる。
【００７１】
暖房運転時は、ドラフト感を与えることは少ないため、ドラフト防止モードは、スマッジングレスモードと同じ対応関係である。尚、冷房運転時と同様に、ドラフト防止モードと、スマッジングレスモードとで異なる対応関係に設定することも可能である。
【００７２】
次に、フラップ５をスイング動作させる場合について説明する。
【００７３】
まず、冷房（或いはドライ）運転時にフラップ５をスイング動作させる場合について説明する。
【００７４】
リモコン６０のスイング切換スイッチ４３にて段階Ｆ１〜Ｆ３間でフラップ５がスイング動作するフラップ動作範囲２６Ａが選択され、吹き出しモード切換スイッチ４４にてスマッジングレスモードが選択されている場合、マイコン２２は、対応関係テーブル２７のスマッジングレスモードを参照し、フラップ５を段階Ｆ１に対応するフラップ位置Ｎ２と、段階Ｆ３に対応するフラップ位置Ｎ４との間でフラップをスイング制御する。
【００７５】
リモコン６０のスイング切換スイッチ４３にて段階Ｆ１〜Ｆ５間でフラップ５がスイング動作するフラップ動作範囲２６Ｂが選択され、吹き出しモード切換スイッチ４４にてスマッジングレスモードが選択されている場合、マイコン２２は、対応関係テーブル２７のスマッジングレスモードを参照し、フラップ５を段階Ｆ１に対応するフラップ位置Ｎ２（冷房運転時のフラップ位置）と、段階Ｆ５に対応するフラップ位置Ｎ６（暖房運転時のフラップ位置）との間でフラップをスイング制御する。
【００７６】
次に、暖房運転時にフラップ５をスイング動作させる場合について説明する。尚、暖房運転時は、吹き出しモードがスマッジングレスモードドラフト防止モードにかかわらず、同一のスイング制御を行うものである。
【００７７】
リモコン６０のスイング切換スイッチ４３にて段階Ｆ１〜Ｆ３間でフラップ５がスイング動作するフラップ動作範囲２６Ａが選択されている場合、マイコン２２は、対応関係テーブル２７のスマッジングレスモード或いはドラフト防止モードを参照し、フラップ５を段階Ｆ１に対応するフラップ位置Ｎ２と、段階Ｆ３に対応するフラップ位置Ｎ４との間でフラップをスイング制御する。
【００７８】
リモコン６０のスイング切換スイッチ４３にて段階Ｆ１〜Ｆ５間でフラップ５がスイング動作するフラップ動作範囲２６Ｂが選択されている場合、マイコン２２は、対応関係テーブル２７のスマッジングレスモード或いはドラフト防止モードを参照し、フラップ５を段階Ｆ１に対応するフラップ位置Ｎ２と、段階Ｆ５に対応するフラップ位置Ｎ６との間でフラップをスイング制御する。
【００７９】
以上、第２の実施の形態によれば、各段階Ｆ１〜Ｆ５とフラップ位置Ｎ１〜Ｎ６とを対応させた複数の吹き出しモードとして、スマッジングレスモードとドラフト防止モードとを有する対応関係テーブル２７がＥＥＰＲＯＭ２３に記憶され、複数の吹き出しモードのうちいずれかの吹き出しモードを選択する吹き出しモード切換スイッチ４４を備えたことから、ＥＥＰＲＯＭ２３の対応関係テーブル２７を書き換えずとも、吹き出しモード切換スイッチ４４の操作により、スマッジングを防止すべく、段階Ｆ１に対応するフラップ位置Ｎ１を予備のフラップ位置Ｎ２に変更することができ、また、ドラフトを防止すべく、段階Ｆ２に対応しているフラップ位置Ｎ３を予備のフラップ位置Ｎ２に変更し、段階Ｆ３に対応しているフラップ位置Ｎ４をフラップ位置Ｎ３に変更することができるので、より簡単にフラップ５の各段階に対応するフラップ位置を変更することができる。
【００８０】
また、第２の実施の形態によれば、フラップ５をスイング動作させる場合、マイコン２２は、対応関係テーブル２７を参照してリモコン６０の吹き出しモード切換スイッチ４４にて選択された吹き出しモードに対応し、スイング切換スイッチ４３にて選択されたスイング動作範囲にてスイング制御することから、ＥＥＰＲＯＭ２３の対応関係テーブル２７を書き換えずとも、吹き出しモード及びフラップ動作範囲を切り換えることで、スマッジング或いはドラフト感を防止することができる。
【００８１】
〔Ｃ〕第３の実施の形態（図９、図１０）
図９は、本発明に係る空気調和装置の第３の実施の形態における制御装置を示すブロック図である。この第３の実施の形態において、第１及び第２の実施の形態と同様な部分は、同一符号を付して省略する。
【００８２】
図９において、ＥＥＰＲＯＭ２３の対応関係テーブル２３（或いは２７）におけるフラップ位置Ｎ０〜Ｎ７は、フラップ位置を示す変数であり、これらフラップ位置変数Ｎ０〜Ｎ７に対応するステッピングモータとしてのフラップモータ６Ａ、６Ｂのステップ数（数値）が記憶されるデータテーブル２８がＥＥＰＲＯＭ２３に記憶されている。例えば、図９において、Ｓ１１には０、Ｓ２１には２００、・・・といった数値が記憶されている。
【００８３】
このデータテーブル２８におけるフラップ位置変数Ｎ０〜Ｎ７に対応するステッピングモータとしてのフラップモータ６Ａ、６Ｂのステップ数Ｓｍｎ（ｍ＝１、２、・・・、８、ｎ＝１、２、３、４）は、例えば、リモコン８０のスイッチ４６〜４９の操作にて書き換え可能である。例えば、ステップ数Ｓ２１における２００の数値データを、例えば、２１０といった数値に書き換えることが可能である。これによって、フラップ位置Ｎ０〜Ｎ７を微調整することが可能となる。
【００８４】
尚、データテーブル２８は、空気調和装置（室内機）の複数の形式に対応したフラップ位置が記憶されている。例えば、４方向カセット形、２方向カセット形、天吊形及び壁掛け形等の空気調和装置の複数の形式に対応したフラップ位置のデータがデータテーブル２８に記憶されている。マイコン２２は、予め対応する機種（４方向カセット形、２方向カセット形或いは天吊形及び壁掛け形等）のフラップ位置のデータを参照するように設定されている。
【００８５】
以上、第３の実施の形態によれば、空気調和装置の複数の形式に対応したフラップ位置がデータテーブル２８に記憶されているので、各種空気調和装置において、同一のテーブル２５（２７）及び２８を記憶したＥＥＰＲＯＭ２３を用いることができる。
【００８６】
また、第３の実施の形態によれば、各段階に対応するフラップ位置（つまり、Ｎ０〜Ｎ７に対応する数値データＳｍｎ）を書き換え可能な不揮発性メモリとしてのＥＥＰＲＯＭ２３に記憶し、このフラップ位置を書き換える手段としてのスイッチ４６〜４９（図４又は図８）を備えたことから、スイッチ４６〜４９の操作にてＥＥＰＲＯＭ２３に記憶されているフラップ位置のデータを書き換えることができるので、フラップ５の位置の微調整が可能となる。
【００８７】
以上、本発明を上記実施の形態に基づいて説明したが、本発明はこれに限定されるものではない。
【００８８】
例えば、上記の実施の形態では、空気調和装置として、４方向天井カセット形の場合について説明したがこれに限るものではなく、フラップを有し、フラップの制御を行う空気調和装置、例えば、２方向天井カセット形、天吊形或いは壁掛け形等の空気調和装置においても適用することができる。
【００８９】
また、上記の実施の形態では、４方向天井カセット形の空気調和装置における４枚のフラップを２つのフラップモータで駆動する場合について説明したが、これに限るものではなく、例えば、４枚のフラップを１つのフラップモータで駆動する場合であっても適用することができるし、４枚のフラップをそれぞれ独立に４つのフラップモータで駆動する場合であっても適用することができる。
【００９０】
【発明の効果】
本発明によれば、ユーザの要望に対応してフラップの制御を行うことができ、スマッジングの防止或いはドラフト感を防止するフラップの制御を行うことができる。
【図面の簡単な説明】
【図１】本発明の第１の実施の形態における空気調和装置の室内機を示す底面図である。
【図２】本発明の第１の実施の形態における空気調和装置の室内機を示す断面図である。
【図３】第１の実施の形態におけるフラップを制御する制御装置を示すブロック図である。
【図４】第１の実施の形態におけるリモートコントローラを示す概略図である。
【図５】第１の実施の形態におけるフラップの動作を示す概略図である。
【図６】第２の実施の形態におけるフラップを制御する制御装置を示すブロック図である。
【図７】第２の実施の形態における書き換え可能な不揮発性メモリに記憶されるテーブルを示す図である。
【図８】第２の実施の形態におけるリモートコントローラを示す概略図である。
【図９】第３の実施の形態におけるフラップを制御する制御装置を示すブロック図である。
【図１０】第３の実施の形態における書き換え可能な不揮発性メモリに記憶されるテーブルを示す図である。
【符号の説明】
１　室内機
４Ａ、４Ｂ、４Ｃ、４Ｄ　吹出口
５Ａ、５Ｂ、５Ｃ、５Ｄ　フラップ
６Ａ、６Ｂ　フラップモータ（ステッピングモータ）
７　制御装置
１０　送風機
１１　熱交換器
２２　マイクロコンピュータ
２３　ＥＥＰＲＯＭ（不揮発性メモリ）
２４、６０　リモートコントローラ
２５、２７　対応関係テーブル（テーブル）
２６　フラップ動作範囲
４２　風向設定スイッチ
４３　スイング切換スイッチ
４４　吹き出しモード切換スイッチ
【図１】
2004092996.tif 000003
【図２】
2004092996.tif 000004
【図３】
2004092996.tif 000005
【図４】
2004092996.tif 000006
【図５】
2004092996.tif 000007
【図６】
2004092996.tif 000008
【図７】
2004092996.tif 000009
【図８】
2004092996.tif 000010
【図９】
2004092996.tif 000011
【図１０】
2004092996.tif 000012